(57)【要約】      （修正有）【課題】地震、時間超過、ガス漏れ、ガスまたはＣＯ濃度超過時に自動的にオフにすることができ、遠隔制御を通じてガス供給のオン・オフ及び復帰が可能な、遠隔制御可能なマイコンガスメーターを提供する。【解決手段】遠隔制御可能なマイコンガスメーター１０は、電磁弁制御回路１４と、ガス供給管路Ｐに配置された電磁弁２０を含み、マイコンガスメーターに有線信号伝送インターフェイス３０と無線信号伝送インターフェイス４０が配置され、電磁弁制御回路が有線信号伝送インターフェイスと無線信号伝送インターフェイスに電気的に接続され、有線信号伝送インターフェイスと無線信号伝送インターフェイスはガス子機またはスマートモニタリングボックスの遠隔制御信号と制御信号を受信した後、遠隔制御信号と制御信号を電磁弁制御回路に送信し、電磁弁制御回路が遠隔制御信号と制御信号に基づいて電磁弁の開閉を制御することで、ガスのマイコンガスメーターへの進入を許可または遮断する。【選択図】図１
0003230713.tif 000002
【実用新案登録請求の範囲】
【請求項１】
遠隔制御可能なマイコンガスメーターであって、少なくとも、電磁弁制御回路と、ガス供給管路に配置された電磁弁を含み、該電磁弁制御回路が該電磁弁に電気的に接続され、該電磁弁の開閉を制御し、ガス供給管路が供給するガスのマイコンガスメーターへの進入を許可または遮断するために用いられ、該マイコンガスメーターが、有線信号伝送インターフェイスと無線信号伝送インターフェイスを含み、該電磁弁制御回路が該有線信号伝送インターフェイスと該無線信号伝送インターフェイスに電気的に接続され、該有線信号伝送インターフェイスと該無線信号伝送インターフェイスが電線または無線信号を通じてガス子機またはスマートモニタリングボックスからの遠隔制御信号と制御信号を受信した後、該遠隔制御信号と該制御信号を該電磁弁制御回路に送信し、該電磁弁制御回路が該遠隔制御信号と該制御信号に基づき、該電磁弁の開閉を制御することで、ガス供給管路が供給するガスの該マイコンガスメーターへの進入を許可または遮断する、ことを特徴とする、遠隔制御可能なマイコンガスメーター。
【請求項２】
前記遠隔制御信号が、コントロールセンターから該ガス子機または該スマートモニタリングボックスに送信される復帰信号と強制オフ信号を含む、ことを特徴とする、請求項１に記載の遠隔制御可能なマイコンガスメーター。
【請求項３】
前記制御信号が、地震検知信号と、時間超過検知信号と、ガス漏れ検知信号と、ガスまたはＣＯ濃度信号（ＧＡＳ／ＣＯ）と、を含むことを特徴とする、請求項１に記載の遠隔制御可能なマイコンガスメーター。
【請求項４】
前記無線信号伝送インターフェイスが、ＬｏＲａ、ＷｉＦｉ、３Ｇ、４Ｇ、Ｂｌｕｅｔｏｏｔｈ（登録商標）のうちのいずれかを含む、ことを特徴とする、請求項１に記載の遠隔制御可能なマイコンガスメーター。
【考案の詳細な説明】
【技術分野】
【０００１】
本考案はガスメーターの技術分野に関し、特に、遠隔制御可能なマイコンガスメーターに関する。
【背景技術】
【０００２】
従来の機械式ガスメーターはガス使用度数の計算ができるのみで、ガス供給自動切断機能はなく、ガス洩れ、一酸化炭素（ＣＯ）濃度が高すぎる、または地震災害などの状況が発生した場合、ユーザーの安全を保障することができない。このため、台湾経済部エネルギー局は２０１４年から自動切断機能を備えたマイコンガスメーターの普及推進を開始している。
【０００３】
現有のマイコンガスメーターは計量機能のみを備えた従来の機械式ガスメーターと異なり、現有のマイコンガスメーターにはガス漏れ検知保護、一酸化炭素検知保護、地震遮断等の安全保護機能を含む、複数の安全保護機能がある。既知のマイコンメーターの構造は、少なくとも、遮断弁、内蔵電源、地震感知器、流量検知器、マイコンチップ、圧力検知器、計量部、計量指示器、復帰装置を含み、外部のガス漏れ検知器と一酸化炭素検知器に接続することができる。
【０００４】
ガス流量が突然大幅に増加したり（例えばガス管線の脱落や突然の大量ガス噴出）、ガス漏れ検知器のガス漏れ検出信号を受信したり、一酸化炭素検知器の一酸化炭素漏れ信号を受信したりすると、マイコンメーターの遮断機能が直ちにガスの供給を遮断し、爆発や中毒事件を防止する。同時に他の家事をしていてガスを使用していることを忘れても、所定の安全使用期間を超過すると、火災や窒息等の事故を回避するために、マイコンメーターの超過時間遮断機能が自動的にガスを切断し、安全を確保することもできる。ガス供給圧力が高すぎる、または低すぎる（例えば外管の破断）とき、マイコンメーターの圧力超過／圧力低下遮断機能が直ちにガスを遮断し、ガス供給回復時にガスがタップから漏れ出すことによる危険の発生を防止する。リクタースケール５以上の地震が発生した場合、地震遮断機能を備えたマイコンメーターは自動的にガスを遮断し、管線の破損による二次災害の発生を回避することができる。
【０００５】
地震がリクタースケール５を超えると、マイコンガスメーターが自動的にガススイッチを切断するが、ユーザーは手動復帰ボタンを押すことでガスメーターのスイッチを復帰させることができる。復帰のｓｏｐを忘れた場合はガス会社に電話をしてスタッフ派遣を依頼し、処理してもらう必要があるが、ユーザー数が多すぎるためガス会社がすぐにスタッフを派遣して処理できず、ユーザーが困ることがある。ガスメーターの復帰を遠隔制御で完了できれば、ユーザーはすぐに使用することができ、復帰後ガスメーターがすぐにまたオフになった場合はユーザーのガス内管に地震の影響による内管漏れや破損が発生したことを表し、このときユーザーはガス会社に通知して家にスタッフを派遣してもらい、システムの検査と復帰を行う必要がある。通常ユーザーは手動復帰をあまり知らないため、自分で処理できず、直接ガス会社にスタッフ派遣による復帰と検査を要求するが、このような地震により発生するクレームと人件費の問題はガス会社の悩みの種となっている。
【考案の概要】
【考案が解決しようとする課題】
【０００６】
本考案の目的は、地震、時間超過、ガス漏れ、ガスまたはＣＯ濃度超過時に自動的にオフにすることができ、また遠隔制御を通じてガス供給のオン・オフ及びマイコンガスメーターの遠隔復帰など５大機能を提供することができる、遠隔制御可能なマイコンガスメーターを提供することにある。
【課題を解決するための手段】
【０００７】
上述の技術的問題を解決するため、本考案の遠隔制御可能なマイコンガスメーターは、電磁弁制御回路と、ガス供給管路に配置された電磁弁を含み、該電磁弁制御回路が該電磁弁に電気的に接続され、電磁弁の開閉を制御し、ガス供給管路が供給するガスのマイコンガスメーターへの進入を許可または遮断するために用いられ、そのうち、該マイコンガスメーターが、有線信号伝送インターフェイスと、無線信号伝送インターフェイスを含み、該電磁弁制御回路が有線信号伝送インターフェイスと無線信号伝送インターフェイスに電気的に接続され、有線信号伝送インターフェイスと無線信号伝送インターフェイスが電線または無線信号を通じてガス子機またはスマートモニタリングボックスからの遠隔制御信号と制御信号を受信し、その後該遠隔制御信号と該制御信号を電磁弁制御回路に送信し、電磁弁制御回路が遠隔制御信号と制御信号に基づき電磁弁の開閉を制御して、ガス供給管路が供給するガスの該マイコンガスメーターへの進入を許可または遮断する。
【０００８】
該遠隔制御信号は、コントロールセンターからガス子機またはスマートモニタリングボックスに送信される復帰信号と強制オフ信号を含む。
【０００９】
該制御信号は、地震検知信号、時間超過検知信号、ガス漏れ検知信号、ガスまたはＣＯ濃度信号（ＧＡＳ／ＣＯ）を含む。
【００１０】
該無線信号伝送インターフェイスは、ＬｏＲａ、ＷｉＦｉ、３Ｇ、４Ｇ、Ｂｌｕｅｔｏｏｔｈ（登録商標）のうちのいずれかを含む。
【考案の効果】
【００１１】
本考案の遠隔制御可能なマイコンガスメーターの有益な効果には、次のいくつかの点が含まれる。
【００１２】
（１）マイコンガスメーターの外部子機またはモニタリング装置によりガスの開閉を遠隔制御し、リクタースケール５の地震後の復帰問題を解決でき、ユーザーが自ら手動で復帰させたり、ガス会社にスタッフ派遣による復帰操作を要求したりする必要がなく、ガス会社はこの技術を通じて一度にリクタースケール５の地震後の復帰とクレームの問題を解決することができ、同時にガス会社の潜在的人件費を大幅に節約できる。
【００１３】
（２）料金を滞納しているユーザーに対してガス会社が遠隔によるガススイッチ強制オフを実行することができる。
【００１４】
（３）ユーザーの遠出／出張／引っ越し時に携帯電話またはガス会社のコントロールセンターを通じてガススイッチを遠隔操作でオフにし、安全保護を達成することができる。
【００１５】
本考案の具体的な実施方式及びその他の利点と効果について、以下で図面を組み合わせて説明する。
【図面の簡単な説明】
【００１６】
【図１】本考案の遠隔制御可能なマイコンガスメーターのブロック図である。
【図２】本考案の遠隔制御可能なマイコンガスメーターとガス子機またはスマートモニタリングボックスの接続に使用する構成図である。
【図３】スマートモニタリングボックスとマイコンガスメーターの一実施例の回路構成図である。
【図４】電磁弁制御回路の一実施例の回路構成図である。
【考案を実施するための形態】
【００１７】
以下の実施するための形態において述べる上下左右を含む位置関係は、特別に記載がなければ、いずれも図面において示される方向に準じる。
【００１８】
まず図１に示す本考案の遠隔制御可能なマイコンガスメーターのブロック図を参照する。図２に示すように、本考案の遠隔制御可能なマイコンガスメーターは基本的にガス子機またはスマートモニタリングボックスと接続して併用される。一般に、マイコンガスメーター１０の構造は、通常、内蔵バッテリー１１と、地震感知器１２と、流量検知器１３と、電磁弁制御回路１４と、圧力検知器１５と、計量部１６と、計量指示器１７と、手動復帰スイッチ１８と、電磁弁２０を含む。そのうち、計量部１６がガス入口１６１とガス出口１６２に連接され、ガス入口１６１とガス出口１６２はそれぞれガス供給管路Ｐに連接され、電磁弁２０がガス供給管路Ｐのガス流動経路に配置され、電磁弁２０は通常ガス入口１６１に連接される。つまり、ガス供給管路Ｐは電磁弁２０を介してマイコンガスメーター１０に連接される。
【００１９】
そのうち、電磁弁制御回路１４の機能は、電磁弁２０の開閉を制御するために用いられる。電磁弁２０の開閉を通じてガス供給管路Ｐが供給するガスのマイコンガスメーター１０への進入を許可または遮断する。地震感知器１２は地震を検知し、対応する地震検知信号を生成するために用いられ、流量検知器１３はガスの流量を検知し、対応するガス流量信号を生成するために用いられ、圧力検知器１５はガスの圧力を検知し、対応するガス圧力信号を生成するために用いられ、計量部１６はガスの使用量を計量し、対応するガス度数信号に変換するために用いられる。図４に示すように、制御信号は、地震検知信号と、時間超過検知信号と、ガス漏れ検知信号と、ガスまたはＣＯ濃度信号（ＧＡＳ／ＣＯ）を含む。
【００２０】
電磁弁制御回路１４は、基本的に、マイコン制御チップとデジタル／アナログ信号コンパレータ回路１４１を内蔵した電子コントローラであり、電磁弁制御回路１４は該内蔵バッテリー１１、地震感知器１２、流量検知器１３、圧力検知器１５、計量部１６、計量指示器１７、手動復帰スイッチ１８、電磁弁２０に電気的に接続され、電磁弁制御回路１４は前述のガス度数信号に基づき計量指示器１７を駆動して使用したガス度数を表示する。
【００２１】
また、電磁弁制御回路１４が内蔵するデジタル／アナログ信号コンパレータ回路１４１は、遠隔制御信号と制御信号に基づき、電磁弁２０の開閉を制御し、ガス供給管路Ｐが供給するガスのマイコンガスメーター１０への進入を許可または遮断する。図４に示すように、制御信号は、地震検知信号、時間超過検知信号、ガス漏れ検知信号、ガスまたはＣＯ濃度信号（ＧＡＳ／ＣＯ）を含む。そのうち、時間超過検知信号は例示的に形成した技術であり、ユーザーがガスの使用を開始すると、電磁弁制御回路１４が時間の計測を開始し、かつガスの連続使用が所定の安全な時間を超過すると、ガス使用時間が超過したと判断し、該時間超過検知信号を生成する。ガス漏れ検知信号は、基本的に、ガス子機またはスマートモニタリングボックス５０に由来するが、その他の実施態様においては、マイコンガスメーター１０内の流量検知器１３と圧力検知器１５が検知した信号からガスに異常が発生したと判断し、さらにガス漏れが発生したと判定されると、該ガス漏れ検知信号を生成するようにしてもよい。
【００２２】
その他の実施態様において、電磁弁制御回路１４は前述の地震検知信号に基づき地震の進度を判断する、前述のガス流量信号に基づき安全な流量しきい値を超過（流量過多の状況が発生）しているか否かを判断する、前述のガス圧力信号に基づきガス漏れまたは圧力不足の状況が発生しているか否かを判断することができる。電磁弁制御回路１４に内蔵されたデジタル／アナログ信号コンパレータ回路１４１は、前述のいくつかの制御信号の入力状態に基づき比較を行い（図４参照）、電磁弁２０を閉じる必要がある状態に達しているか否かを判断する。いずれかのデジタルまたはアナログの前述の制御信号入力時に、システムに設定された優先順序に基づいて電磁弁２０の開閉と復帰の操作を実行するか否かを決定する。例えば、デジタル／アナログ信号コンパレータ回路１４１はガスの連続使用を比較して所定の安全時間を超過するとガス使用時間が超過したと判断し、電磁弁制御回路１４が電磁弁２０を制御して閉鎖させ、ガス供給管路Ｐが供給するガスのマイコンガスメーター１０への進入を遮断する。また、例えば、デジタル／アナログ信号コンパレータ回路１４１が地震検知信号を比較し、地震検知信号が示す震度が所定の安全震度を超過する（例えば、リクタースケール５の地震）場合、電磁弁制御回路１４が電磁弁２０を制御して閉鎖させ、ガス供給管路Ｐが供給するガスのマイコンガスメーター１０への進入を遮断する。
【００２３】
手動復帰スイッチ１８の機能は、ユーザーが手動で電磁弁２０を開くことを可能にする。例えば、マイコンガスメーター１０が地震やその他安全面の原因により自動的にガスの供給を遮断（電磁弁２０を閉鎖）した後、ユーザーが手動で手動復帰スイッチ１８を押す、または切り替えることで、電磁弁制御回路１４をトリガーして電磁弁２０を再度開かせ、ガスの供給と使用を回復する。
【００２４】
本考案の改善部分は、該マイコンガスメーター１０が、有線信号伝送インターフェイス３０と無線信号伝送インターフェイス４０を有し、無線信号伝送インターフェイス４０が、ＬｏＲａ、ＷｉＦｉ、３Ｇ、４Ｇ、Ｂｌｕｅｔｏｏｔｈ（登録商標）のいずれかを含む点である。電磁弁制御回路１４は有線信号伝送インターフェイス３０及び無線信号伝送インターフェイス４０と電気的に接続され、有線信号伝送インターフェイス３０と無線信号伝送インターフェイス４０は電線または無線信号を通じてガス子機またはスマートモニタリングボックス５０からの遠隔制御信号と制御信号を受信する（図３参照）。その後遠隔制御信号と制御信号を電磁弁制御回路１４に送信し、電磁弁制御回路１４が遠隔制御信号と制御信号に基づいて電磁弁２０の開閉を制御し、ガス供給管路Ｐが供給するガスのマイコンガスメーター１０への進入を許可または遮断する。
【００２５】
そのうち、遠隔制御信号は、コントロールセンターＣがガス子機または該スマートモニタリングボックス５０に送信する。該遠隔制御信号は、復帰信号と強制オフ信号を含み、そのうち制御信号は前述の地震検知信号、時間超過検知信号、ガス漏れ検知信号、ガスまたはＣＯ濃度信号（ＧＡＳ／ＣＯ）を含む。そのうちガス子機またはスマートモニタリングボックス５０は、外部のガス漏れ検知器５１、一酸化炭素検知器５２に連接することができる。そのうち、ガス漏れ検知器５１はガス漏れを検知したとき、ガス子機またはスマートモニタリングボックス５０に対してガス濃度信号を送信することができる。一酸化炭素検知器５２は一酸化炭素を検知したとき、ガス子機またはスマートモニタリングボックス５０に対してＣＯ濃度信号を送信することができ、ガス濃度信号とＣＯ濃度信号が共同で前述の制御信号中のガスまたはＣＯ濃度信号（ＧＡＳ／ＣＯ）を構成する。
【００２６】
ガス子機またはスマートモニタリングボックス５０は、さらに有線信号伝送インターフェイス３０と無線信号伝送インターフェイス４０を通じて、受信したガスまたはＣＯ濃度信号（ＧＡＳ／ＣＯ）を電磁弁制御回路１４に送信する。電磁弁制御回路１４が、ガス爆発や中毒事件の発生を防止するために、電磁弁２０の開閉動作を実行するか否かを決定する。
【００２７】
このため、本考案の遠隔制御可能なマイコンガスメーターは、ガス子機または該スマートモニタリングボックス５０を通じてコントロールセンターの制御信号を受信し、マイコンガスメーター１０に対してオフ、オン、復帰の操作を実行することができる。例えば、地震災害が発生した、またはユーザーがガス料金を滞納した場合、コントロールセンターＣは該遠隔制御信号を送信し、遠隔で強制阻遮断するメカニズムを通じてマイコンガスメーター１０をオフにする、つまり電磁弁２０を閉鎖してガス供給管路Ｐが供給するガスのマイコンガスメーター１０への進入を遮断する。マイコンガスメーター１０がオフにされた後は、コントロールセンターＣがオフになった原因の排除を確認した後、コントロールセンターＣから該制御信号（例えば、地震信号のリセット）を送信する必要があり、コントロールセンターＣが遠隔制御メカニズムを通じてマイコンガスメーター１０を再度オンにする、または復帰させることにより、マイコンガスメーター１０機能のオン／オフの遠隔制御を実現する。
【００２８】
上述の実施方法の説明及び図面の内容から分かるように、本考案の遠隔制御可能なマイコンガスメーターは以下のいくつかの機能を実現することができる。
【００２９】
１．リクタースケール５以上の地震でマイコンガスメーター１０がオフになった後、遠隔制御によりマイコンガスメーター１０を再度オンにする、または復帰させることができ、リクタースケール５の地震後の復帰及びクレームの問題を一度に解決すると同時に、ガス会社の潜在的人件費を大幅に節約できる。
【００３０】
２．ユーザーが外出していても、遠隔制御を通じて一時的にガスをオフにすることができ、安全保護が達成される。
３．ガス会社は料金を滞納しているユーザーの携帯電話に料金支払いを通知でき、期日を過ぎてもガス料金が支払われない場合、ガス会社は遠隔制御でガスをオフにすることができる。
【００３１】
４．ユーザーにガス漏れが発生した場合、マイコンガスメーター１０が自動的にガスをオフにした後、携帯電話を通じてユーザーに告知することができる。
【００３２】
５．ユーザーがガスを使用し、一酸化炭素（ＣＯ）濃度が高過ぎることが検知されると、マイコンガスメーター１０が自動的にガスをオフにした後、携帯電話を通じてユーザーに告知し、安全保護を達成することができる。
【００３３】
６．リクタースケール５以上の地震でガスがオフにされ、遠隔制御でオンにした後すぐにまたガスがオフになった場合、ユーザーの内管のガス漏れまたは管路の破損を表し、ガス会社の保守部門がユーザーの携帯電話に通知すると同時に、時間を決めて修理に向かうことができる。
【００３４】
本考案についてすでに上述の実施例を通じて開示したが、上述の説明は本考案を限定するために用いるものではなく、当業者であれば本考案の要旨と範囲を逸脱することなく幾許かの変更と修飾が可能であろう。このため、本考案の権利保護範囲は本明細書に添付された請求項の定義に準じる。
【符号の説明】
【００３５】
１０  マイコンガスメーター
１１  内蔵バッテリー
１２  地震感知器
１３  流量検知器
１４  電磁弁制御回路
１４１  デジタル／アナログ信号コンパレータ回路
１５  圧力検知器
１６  計量部
１６１  ガス入口
１６２  ガス出口
１７  計量指示器
１８  手動復帰スイッチ
２０  電磁弁
３０  有線信号伝送インターフェイス
４０  無線信号伝送インターフェイス
５０  スマートモニタリングボックス
５１  ガス漏れ検知器
５２  一酸化炭素検知器
５３  二酸化炭素検知器
Ｃ  コントロールセンター
Ｐ  ガス供給管路
【図１】
0003230713.tif 000003
【図２】
0003230713.tif 000004
【図３】
0003230713.tif 000005
【図４】
0003230713.tif 000006